(57)【特許請求の範囲】
【請求項１】
伸縮式ヨガコラムであって、
２つのエンドキャップ（１）と、軸方向に沿って配置される幾つかの環状のユニット体（２）とを含み、前記２つのエンドキャップ（１）は、それぞれ最も外側の２つのユニット体（２）に接続され、隣接する３つの前記ユニット体（２）ごとに、複数の接続ロッド（３）によって接続され、前記接続ロッド（３）とユニット体（２）は互いに独立し、各前記接続ロッド（３）は、隣接する３つのユニット体（２）に移動可能に挿入され、隣接する前記３つのユニット体（２）はいずれも接続ロッド（３）上を摺動可能であり、
ヨガコラムが伸張状態である場合、隣接する３つのユニット体（２）ごとの最も外側の２つのユニット体（２）は、それぞれ接続ロッド（３）の両端で第１位置制限機構によって位置制限され、
ヨガコラムが閉じた状態である場合、隣接する２つのユニット体（２）ごとに、第２位置制限機構（６）によって位置制限される、ことを特徴とする伸縮式ヨガコラム。
【請求項２】
前記第１位置制限機構は、前記接続ロッド（３）の両端に配置され、前記第１位置制限機構は、剛性位置制限部材（４）とフレキシブル位置制限部材（５）により構成され、前記剛性位置制限部材（４）は外側に位置し、前記フレキシブル位置制限部材（５）は内側に位置し、前記剛性位置制限部材（４）とフレキシブル位置制限部材（５）の共同作用下で、隣接する３つのユニット体（２）ごとの最も外側の２つのユニット体（２）と係合して位置制限を実現することができる、ことを特徴とする請求項１に記載の伸縮式ヨガコラム。
【請求項３】
隣接する３つのユニット体（２）ごとの最も外側の２つのユニット体（２）が接続ロッド（３）から脱離するのを防止するために、前記剛性位置制限部材（４）は、接続ロッド（３）に一体成形されるか、又は締結部材によって接続ロッド（３）に固定される、ことを特徴とする請求項２に記載の伸縮式ヨガコラム。
【請求項４】
前記フレキシブル位置制限部材（５）は、接続ロッド（３）に一体成形された減衰部材又は接続ロッド（３）に固定された減衰部材であり、ユニット体（２）が接続ロッド（３）上を摺動すると、前記減衰部材はユニット体（２）に対して減衰を生じ、外力の作用下で、前記ユニット体（２）は減衰部材上を往復摺動することができる、ことを特徴とする請求項２に記載の伸縮式ヨガコラム。
【請求項５】
前記減衰部材は、弾性フック、金属弾性シート、又はゴム部材である、ことを特徴とする請求項４に記載の伸縮式ヨガコラム。
【請求項６】
前記第２位置制限機構（６）はユニット体（２）に配置され、前記第２位置制限機構（６）は、係合、接着又は吸着の方式を採用して位置制限を実現する、ことを特徴とする請求項１に記載の伸縮式ヨガコラム。
【請求項７】
各前記ユニット体（２）の外周には、複数のソフトなマッサージ部（８）が設けられる、ことを特徴とする請求項１に記載の伸縮式ヨガコラム。
【請求項８】
各前記接続ロッド（３）の中央部には突起部が設けられ、ヨガコラム（２）が伸張状態である場合、隣接する３つのユニット体（２）ごとの中央のユニット体（２）は、突起部（９）によって締め付けられる、ことを特徴とする請求項１に記載の伸縮式ヨガコラム。
【発明の詳細な説明】
【技術分野】
【０００１】
本発明は、伸縮式ヨガコラムに関する。
【背景技術】
【０００２】
現在、ヨガフィットネス運動中に、筋肉のストレッチング運動、及び運動後の体の複数の部位でのマッサージを行うために、ヨガコラムが必要となる。既存のヨガコラムの機能は比較的完全であるが、その体積が一定であり、ヨガコラムを保管又は梱包する際に小さな体積にすることができないため、大きな空間を占め、保管や持ち運びが容易ではない。
【０００３】
このため、伸縮式ヨガコラムが市場に登場した。２０１８年８月３日に公表された中国実用新案ＣＮ２０７６７９９７４Ｕは、伸縮機能を持つヨガコラムを開示した。隣接する２つのユニット体のうち、一方のユニット体にはプラグインポストが設けられ、他方のユニット体には対応するプラグインホールが設けられる。プラグインポストは、プラグインホールに挿入されて移動可能に内装される。ユニット体とプラグインコラムは一体化され、ペアで接続されることがわかる。伸張されている間、ユニット体は２つごとに相互に貫入するように接続されるため、ヨガカラム全体は引っ掛かりやすく、簡単に開くことができず、十分に安定せず、変形や歪みが発生しやすくなる。また、使用中の変形によりユーザーがケガをする可能性がある。
【発明の概要】
【０００４】
上記の欠点を克服するために、本開示の目的は、閉じたり伸張したりする際に、より良好なユーザー体験、よりスムーズな伸張、より安定した閉じた状態及び伸張状態、及びより少ない変形を提供することができる伸縮式ヨガコラムを提供することである。
【０００５】
上記の目的を達成するために、本開示により採用された技術的解決策は以下のとおりである。伸縮式ヨガコラムは、２つのエンドキャップと、軸方向に沿って配置された幾つかの環状のユニット体とを含み、前記２つのエンドキャップは、それぞれ最も外側の２つのユニット体に接続され、隣接する３つの前記ユニット体ごとに、複数の接続ロッドによって接続され、前記接続ロッドとユニット体は互いに独立し、各前記接続ロッドは、隣接する３つのユニット体に移動可能に挿入され、隣接する前記３つのユニット体はいずれも接続ロッド上を摺動可能であり、ヨガコラムが伸張状態である場合、隣接する３つのユニット体ごとの最も外側の２つのユニット体は、それぞれ接続ロッドの両端で第１位置制限機構によって位置制限され、ヨガコラムが閉じた状態である場合、隣接する２つのユニット体ごとに、第２位置制限機構によって位置制限される。
【０００６】
本発明による伸縮式ヨガコラムの有益な効果は、次のとおりである。ユニット体と接続ロッドは互いに分離し、独立し、相互に協働するため、ヨガコラムが伸張されたり閉じられたりする際に、ジャム現象が効果的に軽減される。隣接する３つのユニット体ごとに、複数の接続ロッドにより接続され、２つのユニット体ごとの接続と比較して、伸張時の安定性が向上し、曲がったり変形したりしにくい。
【０００７】
好ましくは、前記第１位置制限機構は、前記接続ロッドの両端に配置され、前記第１位置制限機構は、１つの剛性位置制限部材と１つのフレキシブル位置制限部材により構成され、前記剛性位置制限部材は外側に位置し、前記フレキシブル位置制限部材は内側に位置し、前記剛性位置制限部材とフレキシブル位置制限部材の共同作用下で、隣接する３つのユニット体ごとの最も外側の２つのユニット体と係合して位置制限を実現することができる。剛性位置制限部材は、ユニット体が接続ロッドの両端から脱離することを防止するために使用され、フレキシブル位置制限部材は、ユニット体の摺動のために使用される。フレキシブル位置制限部材は、外力の作用により変形する。
【０００８】
好ましくは、隣接する３つのユニット体ごとの最も外側の２つのユニット体が接続ロッドから脱離することを防止するために、前記剛性位置制限部材は、接続ロッドに一体成形されるか、又は締結部材により接続ロッドに固定される。
【０００９】
好ましくは、前記フレキシブル位置制限部材は、接続ロッドに一体成形された減衰部材又は独立して接続ロッドに固定された減衰部材である。ユニット体が接続ロッド上を摺動すると、前記減衰部材はユニット体に対して減衰を生じ、一定の外力の作用下で、前記ユニット体は減衰部材上を往復摺動することができる。
【００１０】
好ましくは、減衰部材は、弾性フック、金属弾性シート、及びゴム部材を含むが、これらに限定されない。
【００１１】
好ましくは、前記第２位置制限機構はユニット体に配置され、前記第２位置制限機構は、係合、接着又は吸着の方式を採用して位置制限を実現する。ヨガコラムが閉じた状態である場合、隣接する２つのユニット体ごとに係合、接着又は吸着される。ヨガコラムに一定の引き離される作用力（この作用力は係合の力、接着の力及び吸着の力よりも大きい）を加えると、隣接する２つのユニット体は分離される。
【００１２】
好ましくは、各前記ユニット体の外周には複数のソフトなマッサージ部が設けられる。これは、ユーザーが使用するときに、筋肉をマッサージしてリラックスさせる効果がある。
【００１３】
好ましくは、各前記接続ロッドの中央部には突起部が設けられ、ヨガコラムが伸張状態である場合、隣接する３つのユニット体ごとの中央のユニット体は、凸起部によって締め付けられる。ヨガコラムが伸張された後、隣接する３つのユニット体ごとの安定性が保証される。
【図面の簡単な説明】
【００１４】
【図１】本実施例が閉じた状態である斜視図である。
【図２】本実施例が伸張状態である斜視図である。
【図３】本実施例のユニット体の斜視図である。
【図４】本実施例の接続ロッドの斜視図である。
【図５】本実施例の隣接する３つのユニット体ごとの外側にある２つのユニット体と接続ロッドを組み合わせる斜視図である。
【発明を実施するための形態】
【００１５】
以下、添付の図面を参照して本発明の好ましい実施例を詳細に説明し、本発明の利点及び特徴を当業者がより容易に理解できるようにして、本発明の保護範囲をより明確かつ明確にする。
【００１６】
図１〜５に示すように、本実施例の伸縮式ヨガコラムは、２つのエンドキャップ１と、幾つかの環状のユニット体２とを含む。幾つかの環状のユニット体２は軸方向に沿って配置され、２つのエンドキャップ１はそれぞれ最も外側の２つのユニット体２に接続される。隣接する３つのユニット体２ごとに、複数の接続ロッド３を介して接続される。接続ロッド３とユニット体２は互いに独立する。各接続ロッド３は、隣接する３つのユニット体２に移動可能に挿入され、３つのユニット体２は、接続ロッド３上を摺動することができる。隣接する３つのユニット体２ごとの最も外側の２つのユニット体２のそれぞれと接続ロッド３の両端との間には第１位置制限機構が設けられ、外力の作用により、ヨガコラム２が軸方向の両端に伸張すると、第１位置制限機構は、隣接する３つのユニット体２を接続ロッド３に制限する。隣接する２つのユニット体２ごとの間には、第２位置制限機構６が設けられ、外力の作用によりヨガコラム２が閉じられると、第２位置制限機構６は、隣接する２つのユニット体２を接続する。
【００１７】
本実施例では、１２個のユニット体２が設けられ、３０個の接続ロッド３が設けられ、隣接する３つのユニット体２ごとに、３つの接続ロッド３により接続される。例えば、隣接する一番目のユニット体、二番目のユニット体、及び三番目のユニット体に、均一に配置された３つの接続ロッド３が移動可能に挿入し接続されることで、第１組のユニット体が形成される。隣接する二番目のユニット体、三番目のユニット体、及び四番目のユニット体に、均一に配置された３つの接続ロッド３が移動可能に挿入し接続されることで、第２組のユニット体が形成される。隣接する三番目のユニット体、四番目のユニット体、及び五番目のユニット体に、均一に配置された３つの接続ロッド３が移動可能に挿入し接続されることで、第３組のユニット体が形成される。以降もこれに準じて類推する。配置時に、隣接する２組のユニット体ごとに、接続ロッド３は交互に配置される。例えば、第１組のユニット体の３つの接続ロッド３は、第２組のユニット体の３つの接続ロッド３と交互に配置され、第２組のユニット体の３つの接続ロッド３は、第３組のユニット体の３つの接続ロッド３と交互に配置される。以降もこれに準じて類推する。このようにして、ヨガコラムが伸張された場合、隣接する３つのユニット体２ごとに、それらの間隔の距離は同じであり、また、ヨガコラムが閉じた状態である場合、隣接する２組のユニット体の接続ロッド３は互いに当接しないことが保証される。例えば、第１組のユニット体の３つの接続ロッド３は、第２組のユニット体の３つの接続ロッド３と交互に配置され、互いに当接しない。
【００１８】
本実施例における第１位置制限機構は、接続ロッド３の両端に配置され、前記第１位置制限機構は、１つの剛性位置制限部材４と１つのフレキシブル位置制限部材５により構成される。剛性位置制限部材４は外側に位置し、フレキシブル位置制限部材５は内側に位置し、剛性位置制限部材４とフレキシブル位置制限部材５の共同作用下で、隣接する３つのユニット体２ごとの最も外側の２つのユニット体２と係合して位置制限を実現することができる。
【００１９】
剛性位置制限部材４は、接続ロッド３に一体成形されるか、又は締結部材のネジ、ピンなどにより接続ロッド３に固定される。剛性位置制限部材４は、Ｌ字形の構造であってもよく、隣接する３つのユニット体２ごとの最も外側の２つのユニット体２が接続ロッド３から脱離することを防止するために使用される。
【００２０】
フレキシブル位置制限部材５は、接続ロッド３に一体成形された減衰部材、又は独立して接続ロッド３に固定された減衰部材であり、弾性フック、金属弾性シート又はゴム部材を減衰部材として採用することができる。弾性フック、金属弾性シートをフレキシブル位置制限部材５として採用する場合、弾性フック、金属弾性シートとユニット体２との接触部分は、ユニット体２が摺動しやすくなるように弧状の遷移形状に配置することができる。ユニット体２が接続ロッド３上を摺動すると、減衰部材はユニット体２に対して減衰を生じ、一定の外力の作用下で、ユニット体２は減衰部材上を往復摺動することができる。
【００２１】
各接続ロッド３の中央部に突起部９が設けられる。ヨガコラムが伸張されると、隣接する３つのユニット体２ごとの中央のユニット体２は、接続ロッド３の中央部にある突起部９に締め付けられる。
【００２２】
外力の作用によりヨガコラムが閉じられたり、両端に伸張されたりするとき、隣接する３つのユニット体２ごとの最も外側の２つのユニット体２は、フレキシブル位置制限部材５を摺動する。外力の作用によりヨガコラムが軸方向の両端に伸張されると、隣接する３つのユニット体ごとの最も外側の２つのユニット体２は、接続ロッド３の両端の剛性位置制限部材４とフレキシブル位置制限部材５との間に制限され、中央のユニット体２は接続ロッド３の突起部に締め付けられる。外力の作用によりヨガコラムが軸方向の中心に閉じられると、隣接する３つのユニット体２ごとの最も外側の２つのユニット体２は、フレキシブル位置制限部材５を摺動して、両端の剛性位置制限部材４とフレキシブル位置制限部材５により構成された位置制限から脱離する。隣接する３つのユニット体２の各々は、接続ロッド３の２つのフレキシブル位置制限部材５の間の任意の位置にある。
【００２３】
第２位置制限機構６はユニット体２に配置され、第２位置制限機構６は、係合、接着又は吸着の方式を採用して位置制限を実現することができる。
【００２４】
係合方式を第２位置制限機構６として採用する場合、金属弾性シート又は弾性フックなどの構造を採用することができる。本実施例では、弾性フックを採用する。隣接するユニット体２ごとに、対応する弾性フックと係合溝７が必要となる。実際の操作では、ユニット体２の２つの端面には、弾性フックと係合溝７を配置することができる。第２位置制限機構６の弾性フックがユニット体２と接触する部分は、移行する弧状となり、ユニット体２の摺動を容易にする。隣接する２つのユニット体２ごとに、それぞれの弾性フックがそれに適合する係合溝７と係合することにより、位置制限を実現する。ユーザーの外力の作用によりヨガコラムが閉じられると、弾性フックは、それに隣接するユニット体２の係合溝７に係合する。ユーザーの外力の作用によりヨガコラムが軸方向の両端に伸張されると、第２位置制限機構６の弾性フックは、それに隣接するユニット体の係合溝７から脱離し、隣接する２つのユニット体２ごとに、係合状態から解放され、その後互いに分離される。
【００２５】
吸着方式を第２位置制限機構６として採用する場合、隣接する２つのユニット体２ごとの間に磁気吸引力がある磁気部材を配置する必要がある。ユーザーの外力の作用によりヨガコラムが閉じられると、隣接する２つのユニット体２ごとに、磁気部材の吸着により位置制限が実現される。ユーザーの外力の作用によりヨガコラムが軸方向の両端に伸張されると、ユーザーの作用力は磁気部材の吸着力よりもはるかに大きく、隣接する２つのユニット体２ごとに吸着状態から解放され、その後分離される。
【００２６】
接着方式を第２位置制限機構６として採用する場合、隣接する２つのユニット体２ごとの間に、互いに接着されたマジックテープ（登録商標）などの部材を配置する必要がある。ユーザーの外力の作用によりヨガコラムが閉じられると、隣接する２つのユニット体２ごとに、マジックテープなどの部材により位置制限が実現される。ユーザーの外力の作用によりヨガコラムが軸方向の両端に伸張されると、ユーザーの作用力は接着力よりもはるかに大きく、隣接する２つのユニット体２ごとに接着状態から解放され、その後分離される。
【００２７】
各ユニット体２の外周には複数のソフトなマッサージ部８が配置され、ヨガコラムが伸張されたときに、ユーザーをマッサージするために使用される。
【００２８】
上記の実施形態は、単に本発明の技術的思想及び特徴を説明するものであり、当業者が本発明の内容を理解し実施することを可能にすることを目的とし、本発明の保護範囲を限定するものではない。本発明の主旨に従ってなされた同等変化又は修正はすべて本発明の保護範囲内に含まれることが意図されている。
【要約】
本発明は伸縮式ヨガコラムに関する。この伸縮式ヨガコラムは、２つのエンドキャップと、軸方向に沿って配置される幾つかの環状のユニット体とを含み、前記２つのエンドキャップは、それぞれ最も外側の２つのユニット体に接続され、隣接する３つの前記ユニット体ごとに、複数の接続ロッドによって接続され、前記接続ロッドとユニット体は互いに独立し、各前記接続ロッドは、隣接する３つのユニット体に移動可能に挿入され、隣接する前記３つのユニット体はいずれも接続ロッド上を摺動可能であり、ヨガコラムが伸張状態である場合、隣接する３つのユニット体ごとの最も外側の２つのユニット体は、それぞれ接続ロッドの両端で第１位置制限機構によって位置制限され、ヨガコラムが閉じた状態である場合、隣接する２つのユニット体ごとに、第２位置制限機構によって位置制限される。本発明は、閉じたり伸張したりする際に、より良好なユーザー体験、よりスムーズな伸張、より安定した閉じた状態及び伸張状態、及びより少ない変形を提供することができる。
【選択図】図５【図１】
0006801140.tif 000002
【図２】
0006801140.tif 000003
【図３】
0006801140.tif 000004
【図４】
0006801140.tif 000005
【図５】
0006801140.tif 000006